(57)【要約】      （修正有）【課題】電子機器の操作性を向上することが可能な技術を提供する。【解決手段】電子機器は、筐体２と、筐体の少なくとも一面に位置するディスプレイと、ディスプレイの表面に位置する指紋認証領域１５と、筐体内部に位置する発光部２１０と、を備える。指紋認証領域１５は、発光部２１０の光２１１を視認可能な領域を含む。また電子機器は、筐体内部に位置する導光部１７と、センサ部と、コントローラとを備える。導光部１７は、指紋認証領域１５から光２１１が透過するように案内する。また電子機器は、コントローラは、センサ部の検出値に基づいて、自機の状態を判別し、判別する自機の状態に基づいて、発光部２１０を制御する。またコントローラは、指紋センサが指紋の認証が可能であるかを判別し、指紋の認証が可能であると判別すると、発光部２１０を光らせる。【選択図】図６
2019144724.tif 000002
【特許請求の範囲】
【請求項１】
筐体と、
前記筐体の少なくとも一面に位置するディスプレイと、
前記ディスプレイの表面に位置する指紋認証領域と、
前記筐体内部に位置する発光部と、を備え、
前記指紋認証領域は、前記発光部の光を視認可能な領域を含む、電子機器。
【請求項２】
前記筐体内部に位置する導光部を備え、
前記導光部は、前記指紋認証領域から前記光が透過するように案内する請求項1記載の電子機器。
【請求項３】
筐体と、
前記筐体の少なくとも一面に位置するディスプレイと、
前記ディスプレイの表面に位置する指紋認証領域と、
前記筐体内部に位置する発光部と、
前記筐体内部に位置する導光部と、を備え、
前記導光部は、前記指紋認証領域の近傍から前記光が透過するように案内する、電子機器。
【請求項４】
センサ部と、
コントローラと、を備える請求項１乃至請求項３のいずれか一つに記載の電子機器。
【請求項５】
前記コントローラは、前記センサ部の検出値に基づいて、自機の状態を判別し、判別する前記自機の状態に基づいて、前記発光部を制御する請求項４記載の電子機器。
【請求項６】
前記コントローラは、前記自機の状態として、自機が持ち上げられた状態を判別し、自機が持ち上げられた状態であると判別すると、前記発光部を光らせる請求項５記載の電子機器。
【請求項７】
前記コントローラは、前記センサ部の検出値に基づいて、指による操作を検出すると、前記発光部を光らせる請求項４に記載の電子機器。
【請求項８】
前記指による操作がタップ操作である、請求項７に記載の電子機器。
【請求項９】
情報を受信する情報受信部を備え、
前記コントローラは、前記情報を前記情報受信部が受信すると、前記発光部を光らせる請求項１乃至請求項８のいずれか一つに記載の電子機器。
【請求項１０】
筐体と、
前記筐体の少なくとも一面に位置するディスプレイと、
前記ディスプレイの表面に位置する指紋認証領域と、
前記筐体内部に位置する発光部と、コントローラと、を備え、
前記指紋認証領域は、前記発光部の光を視認可能な領域を含む電子機器の制御方法であって、
前記コントローラは、前記指紋センサが指紋の認証が可能であるかを判別し、指紋の認証が可能であると判別すると、前記発光部を光らせる、制御方法。
【請求項１１】
筐体と、
前記筐体の少なくとも一面に位置するディスプレイと、
前記ディスプレイの表面に位置する指紋認証領域と、
前記筐体内部に位置する発光部と、コントローラと、
前記筐体内部に位置する導光部と、を備え、
前記導光部は、前記指紋認証領域の近傍から前記光が透過するように案内する電子機器の制御方法であって、
前記コントローラは、前記指紋センサが指紋の認証が可能であるかを判別し、指紋の認証が可能であると判別すると、前記発光部を光らせる、制御方法。
【発明の詳細な説明】
【技術分野】
【０００１】
本開示は、電子機器及び制御方法に関する。
【背景技術】
【０００２】
特許文献１に記載されているように、電子機器に関して様々な技術が提案されている。
【先行技術文献】
【特許文献】
【０００３】
【特許文献１】特表２０１７−５０４８５３号
【発明の概要】
【発明が解決しようとする課題】
【０００４】
電子機器については、その操作性の向上が望まれている。
【０００５】
そこで、本発明は上述の点に鑑みて成されたものであり、電子機器の操作性を向上することが可能な技術を提供することを目的とする。
【課題を解決するための手段】
【０００６】
一実施形態に係る電子機器は、筐体と、前記筐体の少なくとも一面に位置するディスプレイと、前記ディスプレイの表面に位置する指紋認証領域と、前記筐体内部に位置する発光部と、を備える。また、前記指紋認証領域は、前記発光部の光を視認可能な領域を含む。
【０００７】
一実施形態に係る電子機器は、筐体と、前記筐体の少なくとも一面に位置するディスプレイと、前記ディスプレイの表面に位置する指紋認証領域と、前記筐体内部に位置する発光部と、前記筐体内部に位置する導光部と、を備える。また、前記導光部は、前記指紋認証領域の近傍から前記光が透過するように案内する。
【０００８】
一実施形態に係る電子機器の制御方法は、筐体と、前記筐体の少なくとも一面に位置するディスプレイと、前記ディスプレイの表面に位置する指紋認証領域と、前記筐体内部に位置する発光部と、コントローラと、を備える電子機器の制御方法である。前記指紋認証領域は、前記発光部の光を視認可能な領域を含む。また、前記コントローラは、前記指紋センサが指紋の認証が可能であるかを判別し、指紋の認証が可能であると判別すると、前記発光部を光らせる方法である。
【０００９】
一実施形態に係る電子機器の制御方法は、筐体と、前記筐体の少なくとも一面に位置するディスプレイと、前記ディスプレイの表面に位置する指紋認証領域と、前記筐体内部に位置する発光部と、コントローラと、を備える電子機器の制御方法である。前記指紋認証領域の近傍は、前記発光部の光を視認可能な領域含む。また、前記コントローラは、前記指紋センサが指紋の認証が可能であるかを判別し、指紋の認証が可能であると判別すると、前記発光部を光らせる方法である。
【発明の効果】
【００１０】
電子機器の操作性が向上する。
【図面の簡単な説明】
【００１１】
【図１】電子機器の外観の一例を示す斜視図である。
【図２】電子機器の外観の一例を示す背面図である。
【図３】電子機器の構成の一例を示すブロック図である。
【図４】図１に示すＡ−Ａ’線における、電子機器１の断面の一例を概略的に示す概略断面図である。
【図５】電子機器の表示の一例を示す図である。
【図６】図１に示すＡ−Ａ’線における、電子機器１の断面の他の一例を概略的に示す概略断面図である。
【図７】図１に示すＡ−Ａ’線における、電子機器１の断面の他の一例を概略的に示す概略断面図である。
【図８】電子機器の表示の一例を示す図である。
【図９】図１に示すＡ−Ａ’線における、電子機器１の断面の他の一例を概略的に示す概略断面図である。
【図１０】電子機器の表示の一例を示す図である。
【図１１】電子機器の動作の一例を示すフローチャートである。
【図１２】電子機器の動作の一例を示すフローチャートである。
【図１３】電子機器の動作の一例を示すフローチャートである。
【発明を実施するための形態】
【００１２】
図１及び図２は電子機器１の外観の一例を示す斜視図及び背面図である。
【００１３】
電子機器１の筺体２の前面１１ａには、文字、記号及び図形等の各種情報が表示されるディスプレイ１２０が配置されている。ディスプレイ１２０の背面側にはタッチセンサ１３１が位置している。ユーザは、電子機器１の前面のディスプレイ１２０を指等で操作することによって、電子機器１に対して各種情報を入力することができる。なお、ユーザは、指以外の操作子、例えば、スタイラスペン等のタッチパネル用ペンでディスプレイ１２０を操作することによって、電子機器１に対して各種情報を入力することができる。電子機器１は、ディスプレイ１２０の表示面に位置する指紋認証領域１５において、指紋情報を読み取ることが可能である。
【００１４】
筺体２の前面１１ａの上端部にはレシーバ穴１２が位置している。筺体２の下側の側面１１ｄにはマイク穴１４が位置している。筺体２の前面１１ａの上端部からは、第１カメラ１８０が有するレンズが視認可能となっている。図２に示されるように、電子機器１の背面１１ｂ、言い換えれば筺体２の背面の上端部からは、第２カメラ１９０が有するレンズが視認可能となっている。また、筺体２の背面１１ｂにはスピーカ穴１３が位置している。
【００１５】
図３は電子機器１の電気的構成の一例を主に示すブロック図である。図３に示されるように、電子機器１は、コントローラ１００、無線通信部１１０、ディスプレイ１２０、タッチセンサ１３１、加速度センサ１３２及び操作ボタン群１４０を備える。さらに電子機器１は、レシーバ１５０、スピーカ１６０、マイク１７０、第１カメラ１８０、第２カメラ１９０、指紋センサ２００、発光部２１０及び電池２２０を備える。
【００１６】
コントローラ１００は、電子機器１の他の構成要素を制御することによって、電子機器１の動作を統括的に管理することが可能である。コントローラ１００は制御装置あるいは制御回路とも言える。コントローラ１００は、以下にさらに詳細に述べられるように、種々の機能を実行するための制御及び処理能力を提供するために、少なくとも１つのプロセッサを含む。
【００１７】
種々の実施形態によれば、少なくとも１つのプロセッサは、単一の集積回路（ＩＣ）として、又は複数の通信可能に接続された集積回路（ＩＣ）及び／又はディスクリート回路（discrete circuits）として実行されてもよい。少なくとも１つのプロセッサは、種々の既知の技術に従って実行されることが可能である。
【００１８】
１つの実施形態において、プロセッサは、例えば、関連するメモリに記憶された指示を実行することによって１以上のデータ計算手続又は処理を実行するように構成された１以上の回路又はユニットを含む。他の実施形態において、プロセッサは、１以上のデータ計算手続き又は処理を実行するように構成されたファームウェアであってもよい。ファームウェアとは、例えば、ディスクリートロジックコンポーネントである。
【００１９】
種々の実施形態によれば、プロセッサは、１以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ、又はこれらのデバイス若しくは構成の任意の組み合わせ、又は他の既知のデバイス及び構成の組み合わせを含み、以下に説明される機能を実行してもよい。
【００２０】
本実施形態では、コントローラ１００は、ＣＰＵ（Central Processing Unit）１０１、ＤＳＰ（Digital Signal Processor）１０２及び記憶部１０３を備える。記憶部１０３は、ＲＯＭ（Read Only Memory）及びＲＡＭ（Random Access Memory）等の、ＣＰＵ１０１及びＤＳＰ１０２が読み取り可能な非一時的な記録媒体を含む。記憶部１０３が有するＲＯＭは、例えば、不揮発性メモリであるフラッシュＲＯＭ（フラッシュメモリ）である。記憶部１０３には、電子機器１を制御するための複数の制御プログラム１０３ａ等が記憶されている。コントローラ１００の各種機能は、ＣＰＵ１０１及びＤＳＰ１０２が記憶部１０３内の各種制御プログラム１０３ａを実行することによって実現される。
【００２１】
なおコントローラ１００は、複数のＣＰＵ１０１を備えてもよい。この場合、コントローラ１００は、比較的複雑な処理を行う、処理能力が高いメインＣＰＵと、比較的簡単な処理を行う、処理能力が低いサブＣＰＵとを備えてもよい。またコントローラ１００は、ＤＳＰ１０２を備えなくてもよいし、複数のＤＳＰ１０２を備えてもよい。また、コントローラ１００の全ての機能あるいはコントローラ１００の一部の機能は、その機能の実現にソフトウェアが不要なハードウェア回路によって実現されてもよい。
【００２２】
記憶部１０３は、ＲＯＭ及びＲＡＭ以外の、コンピュータが読み取り可能な非一時的な記録媒体を備えていてもよい。記憶部１０３は、例えば、小型のハードディスクドライブ及びＳＳＤ（Solid State Drive）を備えていてもよい。
【００２３】
記憶部１０３内の複数の制御プログラム１０３ａには、様々なアプリケーション（つまり、アプリケーションプログラム）が含まれている。記憶部１０３には、例えば、音声通話及びビデオ通話を行うための電話アプリケーション、電子メールの作成、閲覧及び送受信を行うためのメールアプリケーションが記憶されている。記憶部１０３には、第１カメラ１８０及び第２カメラ１９０を利用して被写体を撮影するためのカメラアプリケーション、記憶部１０３に記録されている静止画を表示するための画像アプリケーション等が記憶されている。記憶部１０３には、ユーザが電子機器１に予め登録した指紋情報が記憶されている。記憶部１０３内の少なくとも一つのアプリケーションは、記憶部１０３内に予め記憶されているものであってよい。また、記憶部１０３内の少なくとも一つのアプリケーションは、電子機器１が他の装置からダウンロードして記憶部１０３内に記憶したものであってよい。
【００２４】
無線通信部１１０は、アンテナ１１１を有している。無線通信部１１０は、アンテナ１１１を用いて、例えば複数種類の通信方式で無線通信することが可能である。無線通信部１１０の無線通信は、コントローラ１００によって制御される。
【００２５】
無線通信部１１０は、携帯電話システムの基地局と無線通信することが可能である。無線通信部１１０は、基地局及びインターネット等のネットワークを通じて、電子機器１とは別の携帯電話機及びウェブサーバ等と通信することが可能である。電子機器１は、他の携帯電話機等と、データ通信、音声通話及びビデオ通話等を行うことが可能である。
【００２６】
また無線通信部１１０、Ｗｉｆｉ等の無線ＬＡＮ（Local Area Network）を用いて無線通信を行うことが可能である。また無線通信部１１０は、近距離無線通信を行うことが可能である。例えば、無線通信部１１０は、Ｂｌｕｅｔｏｏｔｈ（登録商標）に準拠して無線通信することが可能である。無線通信部１１０は、ＺｉｇＢｅｅ（登録商標）及びＮＦＣ（Near Field Communication）の少なくとも一方に準拠して無線通信することが可能であってもよい。
【００２７】
無線通信部１１０は、アンテナ１１１で受信した信号に対して増幅処理等の各種処理を行い、処理後の受信信号をコントローラ１００に出力する。コントローラ１００は、入力される受信信号に対して各種処理を行って、受信信号に含まれる情報を取得する。また、コントローラ１００は、情報を含む送信信号を無線通信部１１０に出力する。無線通信部１１０は、入力される送信信号に対して増幅処理等の各種処理を行って、処理後の送信信号をアンテナ１１１から無線送信する。
【００２８】
ディスプレイ１２０は、電子機器１の前面１１ａに位置する表示面１２１と、表示パネル１２２とを備えている。ディスプレイ１２０は、表示面１２１に各種情報を表示することが可能である。表示パネル１２２は、電子機器１内において、表示面１２１と対向している。ディスプレイ１２０に表示される情報は、電子機器１の表面の表示面１２１に表示される。表示パネル１２２は、各種情報を表示することが可能である。
【００２９】
なお表示パネル１２２は、例えば、有機ＥＬ（Electroluminescence）パネル又は無機ＥＬ（Electroluminescence）等の自発光型の表示パネルであってもよい。
【００３０】
表示パネル１２２は、表示面１２１の反対側の裏面から表示面１２１に向かって光が透過するよう構成されている。例えば、有機ＥＬ（Electroluminescence）パネル又は無機ＥＬ（Electroluminescence）等の表示パネルを用いる場合、表示パネル１２２に用いられる基体や電極は透光性材料で構成されている。なお、表示パネル１２２のうち少なくとも指紋認証領域１５の部位において、表示面１２１の反対側の面から表示面１２１に向かって光が透過するよう構成されていればよい。
【００３１】
電子機器１は、センサ部１３０としてタッチセンサ１３１及び加速度センサ１３２を備える。
【００３２】
タッチセンサ１３１は、ディスプレイ１２０に対する指等の操作子による操作を検出することが可能である。タッチセンサ１３１はディスプレイ１２０に対する操作を検出するセンサであると言える。タッチセンサ１３１は、例えば、投影型静電容量方式のタッチセンサである。タッチセンサ１３１は、例えば、ディスプレイ１２０の裏側に位置する。ユーザが指等の操作子によってディスプレイ１２０に対して操作を行ったとき、タッチセンサ１３１は、その操作に応じた電気信号をコントローラ１００に入力することが可能である。コントローラ１００は、タッチセンサ１３１からの電気信号（出力信号）に基づいて、ディスプレイ１２０に対して行われた操作の内容を特定することが可能である。そしてコントローラ１００は、特定した操作内容に応じた処理を行うことが可能である。なお、表示パネル１２２及びタッチセンサ１３１の代わりに、タッチセンサが組み込まれたインセル型の表示パネルが採用されてもよい。
【００３３】
加速度センサ１３２は、電子機器１に働く加速度の方向及び大きさを検出する。加速度センサ１３２は、検出した加速度の情報を出力信号とする。加速度センサ１３２は、例えばｘ軸方向、ｙ軸方向及びｚ軸方向の加速度を検出する３軸（３次元）タイプである。加速度センサ１３２は、例えばピエゾ抵抗型であってもよいし、静電容量型であってもよい。
【００３４】
なお電子機器１は、センサ部１３０として、タッチセンサ１３１及び加速度センサ１３２以外のセンサを備えてもよい。例えば、電子機器１は、センサ部１３０として、気圧センサ、地磁気センサ、温度センサ、近接センサ、照度センサ及びジャイロセンサの少なくとも一つを備えてもよい。
【００３５】
操作ボタン群１４０の各操作ボタンは、ユーザによって操作されると、操作されたことを示す操作信号をコントローラ１００に出力することが可能である。コントローラ１００は、各操作ボタンについて、操作ボタンが操作されたか否かを判断することができる。操作信号が入力されたコントローラ１００が他の構成要素を制御することによって、電子機器１では、操作された操作ボタンに割り当てられている機能が実行される。
【００３６】
マイク１７０は、電子機器１の外部から入力される音を電気的な音信号に変換してコントローラ１００に出力することが可能である。電子機器１の外部からの音は、マイク穴１４から電子機器１の内部に取り込まれてマイク１７０に入力される。
【００３７】
スピーカ１６０は、例えばダイナミックスピーカである。スピーカ１６０は、コントローラ１００からの電気的な音信号を音に変換して出力することが可能である。スピーカ１６０から出力される音は、スピーカ穴１３から外部に出力される。ユーザは、スピーカ穴１３から出力される音を、電子機器１から離れた場所でも聞こえることが可能である。
【００３８】
レシーバ１５０は受話音を出力することが可能である。レシーバ１５０は例えばダイナミックスピーカである。レシーバ１５０は、コントローラ１００からの電気的な音信号を音に変換して出力することが可能である。レシーバ１５０から出力される音はレシーバ穴１２から外部に出力される。レシーバ穴１２から出力される音の音量は、スピーカ穴１３から出力される音の音量よりも小さくなっている。ユーザは、レシーバ穴１２から出力される音を、レシーバ穴１２に耳を近づけることによって聞くことができる。なお、レシーバ１５０の代わりに、電子機器１の前面部分を振動させる、圧電振動素子等の振動素子を設けてもよい。この場合には、音は、前面部分の振動によりユーザに伝達される。
【００３９】
第１カメラ１８０は、レンズ及びイメージセンサ等を備えている。第２カメラ１９０は、レンズ及びイメージセンサ等を備えている。第１カメラ１８０及び第２カメラ１９０のそれぞれは、コントローラ１００による制御に基づいて被写体を撮影し、撮影した被写体を示す静止画あるいは動画を生成してコントローラ１００に出力することが可能である。
【００４０】
第１カメラ１８０のレンズは、電子機器１の前面１１ａから視認可能となっている。したがって、第１カメラ１８０は、電子機器１の前面側（言い換えれば、ディスプレイ１２０側）に存在する被写体を撮影することが可能である。第１カメラ１８０はインカメラと呼ばれる。一方で、第２カメラ１９０のレンズは、電子機器１の背面１１ｂから視認可能となっている。したがって、第２カメラ１９０は、電子機器１の背面側に存在する被写体を撮影することが可能である。第２カメラ１９０はアウトカメラと呼ばれる。
【００４１】
電子機器１は、複数の操作ボタンから成る操作ボタン群１４０を有する。各操作ボタンは、例えばハードウェアボタンであって、電子機器１の表面に位置する。各操作ボタンは、例えば押しボタンである。操作ボタン群１４０には電源ボタン１４１が含まれる。電源ボタン１４１は、電子機器１の側面１１ｃに位置している。
【００４２】
操作ボタン群１４０には、電源ボタン１４１以外の操作ボタンが含まれる。例えば、操作ボタン群１４０には、ボリュームボタンが含まれる。
【００４３】
指紋センサ２００は、指紋認証領域１５において、指紋情報を読み取ることが可能である。指紋認証領域１５は、ディスプレイ１２０の表示面１２１に位置する。
【００４４】
指紋センサ２００の指紋検出方式は、例えば、静電容量方式である。指の指紋による凹凸によって指紋センサ２００と指との間の静電容量が変化することから、指紋センサ２００と指との間の静電容量を検出することによって、指紋センサ２００は指の指紋情報を読み取ることができる。また、電子機器１は、指紋センサ２００が静電容量方式である場合には、指紋センサ２００として静電容量方式のタッチセンサ１３１を用いてもよい。
【００４５】
また、指紋センサ２００の指紋検出方式は、静電容量方式以外の方式であってもよい。例えば、指紋センサ２００の指紋検出方式は、光学式であってもよい。
【００４６】
電池２２０は、電子機器１の電源を出力することが可能である。電池２２０は例えば充電式の電池である。電池２２０から出力される電源は、電子機器１が備えるコントローラ１００及び無線通信部１１０等の各種構成に対して供給される。
【００４７】
発光部２１０は、発光素子である。発光素子には、ＬＥＤ（Light  Emitting  Diode）、有機ＥＬ（Organic  Electro−Luminescence）、無機ＥＬ（Inorganic Electro-Luminescence）等が用いられる。発光部２１０は、点灯と消灯を切り換えることができ、所定の光を射出させる。なお、発光部２１０は、種々の波長、つまり種々の色の光を射出可能である。
【００４８】
電子機器１は多数の動作モードを有している。電子機器１の動作モードには、例えば、通常モード、スリープモード及びシャットダウンモードが含まれる。シャットダウンモードでは、電子機器１がシャットダウンし、電子機器１のほとんどの機能が停止する。スリープモードでは、電子機器１における、表示機能を含む一部の機能が停止する。通常モードは、電子機器１がスリープモード及びシャットダウンモード以外で動作している状態を意味する。コントローラ１００が、設定すべき動作モードに応じて電子機器１の所定の構成を制御することによって、電子機器１の動作モードが設定される。
【００４９】
スリープモードでは、例えば、表示パネル１２２、タッチセンサ１３１、第１カメラ１８０及び第２カメラ１９０等を含む電子機器１の一部の構成が動作しない。シャットダウンモードでは、表示パネル１２２、タッチセンサ１３１、第１カメラ１８０及び第２カメラ１９０等を含む電子機器１のほとんどの構成が動作しない。スリープモードでは、通常モードよりも電子機器１の消費電力が低減する。シャットダウンモードでは、スリープモードよりも電子機器１の消費電力が低減する。
【００５０】
また、スリープモード及びシャットダウンモードでは、ディスプレイ１２０は非表示状態となる。表示状態とは、電子機器１が意図的にディスプレイ１２０に表示を行っている状態を意味する。また非表示状態とは、電子機器１が意図的にディスプレイ１２０に表示を行うことを実行してない状態を意味する。また、表示パネル１２２が有機ＥＬパネル等の自発光型の表示パネルである場合、全画素が発光していない場合にディスプレイ１２０が非表示状態となる。つまり、表示パネル１２２の表示領域の全領域が消灯状態の場合にディスプレイ１２０が非表示状態となる。
【００５１】
通常モードにおいて、電源ボタン１４１が長時間押されると、通常モードからシャットダウンモードに遷移させるか否かをユーザに確認するための確認画面がディスプレイ１２０に表示される。ディスプレイ１２０に確認画面が表示されている状態において、ユーザがディスプレイ１２０に対して所定の操作を行うと、通常モードからシャットダウンモードに遷移する。
【００５２】
また通常モードにおいて、電子機器１に対して一定時間以上操作が行われなければ、通常モードからスリープモードに遷移する。また、通常モードにおいて、電源ボタン１４１が短時間押されると、通常モードからスリープモードに遷移する。
【００５３】
一方で、スリープモードにおいて、電源ボタン１４１が短時間押されたとき、スリープモードから通常モードに遷移する。つまり、スリープモードにおいて、電源ボタン１４１が短時間押されたとき、電子機器１では、スリープモードに遷移するときに停止された機能が復帰する。本実施形態では、通常モードには、ロックモードが含まれている。スリープモードにおいて、電源ボタン１４１が短時間押されたとき、スリープモードからロックモードに遷移する。また、スリープモードにおいて、指紋認証領域１５に対して所定の操作が行われたとき、スリープモードから通常モードに遷移する。
【００５４】
なお、以下に説明する、シャットダウンモード及びスリープモード以外の電子機器１の動作モードは、特に説明しなくても通常モードに含まれる。また、単に動作モードと言えば、電子機器１の動作モードを意味する。また、押す位置を変化させずに電子機器１の表面を短時間押す操作を、つまり、押す位置を変化させずに電子機器１の表面を第１の所定時間未満押す操作を「短押し操作」と呼ぶ。また、押す位置を変化させずに電子機器１の表面を長時間押す操作を、つまり、押す位置を変化させずに電子機器１の表面を第２の所定時間（≧第１の所定時間）以上押す操作を「長押し操作」と呼ぶことがある。
【００５５】
通常モードにおいては、様々な画面がディスプレイ１２０に表示される。ディスプレイ１２０に表示される画面は、ディスプレイ１２０に表示される画像であるとも言える。
【００５６】
通常モードには、記憶部１０３内の複数のアプリケーションのうち、特定のアプリケーション以外のアプリケーションを、ユーザが電子機器１に実行させることができないロックモードが含まれる。特定のアプリケーションとは、例えば通話アプリケーション及びカメラアプリケーションである。ロックモードは、画面ロックモードとも呼ばれる。ロックモードでは、ユーザは、記憶部１０３内の複数のアプリケーションのうち、特定のアプリケーション以外の各アプリケーションについて、アプリケーションの実行を電子機器１に指示することができない。電子機器１は、ロックモードのとき、ディスプレイ１２０にロック画面を表示してよい。ロック画面は、電子機器１がロックモードであることを通知する画面である。なお、ロックモードは、記憶部１０３内の一部又は全部のアプリケーションがユーザによって実行できないモードである。ディスプレイ１２０がロック画面を表示している場合に、ユーザが電子機器１に対して所定の操作を行うと、電子機器１ではロックモードが解除されて、ディスプレイ１２０の表示はロック画面から他の画面、例えばホーム画面に遷移する。以後、通常モードにおいて、ロックモードが解除されている状態を「非ロックモード」と呼ぶことがある。
【００５７】
コントローラ１００は、指紋センサ２００で読み取られる指紋情報に基づいて指紋認証を行うことが可能である。以下に指紋認証の一例について説明する。
【００５８】
コントローラ１００は、指紋認証を行う際、指紋センサ２００からの出力信号に基づいて、指紋センサ２００で読み取られた指紋情報を示す指紋画像を生成する。そして、コントローラ１００は、生成した指紋画像から、読み取られた指紋情報の特徴を示す特徴点を抽出する。特徴点としては、例えば、指紋の稜線（凸部）の端点及び分岐点の位置と、稜線の太さ等が使用される。そして、コントローラ１００は、抽出した特徴点と、記憶部１０３に記憶されている基準特徴点とを比較する。基準特徴点は、正規のユーザの指紋情報を示す指紋画像から抽出された特徴点である。正規のユーザとは、例えば電子機器１の所有者である。コントローラ１００は、抽出した特徴点と基準特徴点とを比較した結果、両者が類似する場合には、指紋認証が成功であると判定する。指紋認証はユーザ認証の一種であると考えることができることから、コントローラ１００は、抽出した特徴点と基準特徴点とが類似する場合には、指紋センサ２００が読み取った指紋情報を有するユーザが正規のユーザであると判定すると言える。一方で、コントローラ１００は、抽出した特徴点と基準特徴点とが類似しない場合には、指紋認証に失敗したと判定する。つまり、コントローラ１００は、指紋センサ２００が読み取った指紋情報を有するユーザが非正規のユーザであると判定する。
【００５９】
電子機器１は、ユーザの指紋情報を登録するための指紋登録モードを有してよい。電子機器１は、指紋登録モードにおいて、正規のユーザが自身の手の指（詳細には指の腹）を指紋認証領域１５の上に置くと、指紋センサ２００は指の指紋情報を読み取る。コントローラ１００は、指紋センサ２００からの出力信号に基づいて、指紋センサ２００で読み取られた指紋情報を示す指紋画像を生成する。そして、コントローラ１００は、生成した指紋画像から特徴点を抽出し、抽出した特徴点を基準特徴点として記憶部１０３に記憶する。正規のユーザの指紋の特徴を示す基準特徴点が記憶部１０３に記憶される。つまり、正規のユーザの指紋情報が電子機器１に登録される。このように、電子機器１に予め登録された指紋情報を登録指紋情報という。
【００６０】
なお記憶部１０３には、複数の基準特徴点が記憶されることもある。この場合には、コントローラ１００は、抽出した特徴点と、記憶部１０３に記憶されている複数の基準特徴点のそれぞれとを比較する。コントローラ１００は、複数の基準特徴点の中に、抽出した特徴点と類似するものがある場合には、指紋認証が成功であると判定する。一方で、コントローラ１００は、複数の基準特徴点の中に、抽出した特徴点と類似するものが無い場合には、指紋認証に失敗したと判定する。
【００６１】
一実施形態において、電子機器１は、筐体２と、筐体２の少なくとも一面に位置するディスプレイ１２０と、ディスプレイ１２０の表面に位置する指紋認証領域１５と、筐体２内部に位置する発光部２１０と、を備える。指紋認証領域１５は、発光部２１０の光２１１を視認可能な領域２１２を含む。
【００６２】
図４は、図１に示すＡ−Ａ’線における、電子機器１の断面の一例を概略的に示す概略断面図である。
【００６３】
電子機器１の発光部２１０は、筐体２の内部に位置する。電子機器１は、指紋センサ２００が指紋の認証が可能であるかを判別し、指紋の認証が可能であると判別すると、発光部２１０を光らせる。指紋の認証が可能であるとは、指が指紋認証領域１５に接触したときに、指紋センサ２００が指紋情報を読み取ることができる状態である。具体例としては、指紋センサ２００が給電されている状態や、ＯＮとＯＦＦの切り替えが可能である指紋センサ２００がＯＮに設定された状態が考えられる。発光部２１０の発した光は、ディスプレイ１２０の指紋認証領域１５の少なくとも一部を透過する。なお、発光部２１０の位置や形状等は、発光部２１０の発した光がディスプレイ１２０の指紋認証領域１５の少なくとも一部を透過するようになっていれば、適宜変更してもよい。
【００６４】
図５に示すように、図４に示す電子機器１は、ディスプレイ１２０の指紋認証領域１５及び指紋認証領域１５の周辺に、発光部２１０の光を視認可能な領域２１２ができる。ユーザは、発光部２１０の光を視認可能な領域２１２により、指紋認証領域１５の位置を推定できる。
【００６５】
一実施形態において、電子機器１は、筐体２内部に位置する導光部１７を備える。導光部１７は、指紋認証領域１５から発光部２１０の光２１１が透過するように案内する。
【００６６】
図６は、図１に示すＡ−Ａ’線における、電子機器１の断面の他の一例を概略的に示す概略断面図である。
【００６７】
電子機器１は、筐体２の内部に導光部１７を備える。導光部１７は、発光部２１０の周囲を取り囲んで設けられてもよい。導光部１７は、発光部２１０が発した光を指紋認証領域１５の少なくとも一部から透過するように案内する。導光部１７は、例えば、樹脂、金属又はセラミックス等の部材により構成されてよい。なお導光部１７に用いる部材は、発光部２１０が発した光が透過しにくいものを選択すればよい。導光部１７は、遮光部と言い換えることもできる。例えば、導光部は遮光シートでもよい。導光部１７の発光部２１０側壁面は鏡面としてよい。導光部１７の前記壁面が鏡面であると、指紋認証領域１５から発光部２１０の光をより多く透過させることができる。なお、導光部１７の位置や形状等は、発光部２１０が発した光を指紋認証領域１５に向かって収束させるようになっていれば、適宜変更してもよい。
【００６８】
図７は、図１に示すＡ−Ａ’線における、電子機器１の断面の他の一例を概略的に示す概略断面図である。
【００６９】
導光部１７は、表示面１２１の反対側の面に位置してもよい。発光部２１０の光を指紋認証領域１５から透過させるために、導光部１７は指紋認証領域１５の裏側の位置に設けられていない。導光部１７は、発光部２１０の光を指紋認証領域１５の少なくとも一部から透過するように案内する。なお導光部１７に用いる部材は、発光部２１０が発した光が透過しにくいものを選択すればよい。導光部１７は、表示面１２１の反対側の面に接着剤等で固定されている。導光部１７の発光部２１０側壁面は鏡面としてよい。
【００７０】
図８に示すように、図６及び図７に示す電子機器１は、指紋認証領域１５に、発光部２１０の光を視認可能な領域２１２ができる。電子機器１は、発光部２１０の光が導光部１７により指紋認証領域１５に向かって収束させられているため、発光部２１０の光を視認可能な領域２１２の輝度は導光部１７がない場合に比べて大きくなる。すなわち電子機器１のユーザは、指紋認証領域１５の位置を特定しやすい。
【００７１】
発光部２１０の光を視認可能な領域２１２の大きさや形は、指紋認証領域１５の位置を指示するように適宜変更してもよい。発光部２１０の光を視認可能な領域２１２の全ては指紋認証領域１５内にあると、指紋認証の失敗がより生じにくい。発光部２１０の光を視認可能な領域２１２の全ては指紋認証領域１５内にあり、発光部２１０の光を視認可能な領域２１２の面積が指紋認証領域１より小さいと、指紋認証の失敗がより生じにくい。
【００７２】
一実施形態において、電子機器１は、筐体２と、筐体２の少なくとも一面に位置するディスプレイ１２０と、ディスプレイ１２０の表面に位置する指紋認証領域１５と、筐体２内部に位置する発光部２１０と、筐体２内部に位置する導光部１７と、を備える。導光部１７は、指紋認証領域１５の近傍から発光部２１０の光２１１が透過するように案内する。
【００７３】
図９は、図１に示すＡ−Ａ’線における、電子機器１の断面の他の一例を概略的に示す概略断面図である。
【００７４】
導光部１７は、発光部２１０の光を指紋認証領域１５の近傍から透過させるために、指紋認証領域１５の周辺部分に対応する裏側の位置には設けられていない。指紋領域１５の近傍とは、図１０に示すように、図９に示す電子機器１は、指紋認証領域１５の近傍に発光部２１０の光を視認可能な領域２１２を含む。言い換えると、電子機器１は、指紋認証領域１５を取り囲む発光部２１０の光を視認可能な領域２１２をディスプレイ１２０に含む。本実施例において、指紋認証領域１５を取り囲む発光部２１０の光は、指紋認証領域１５の外周部分を除く指紋認証領域１５の内側を透過しない。ユーザは、発光部２１０の光を視認可能な領域２１２により、指紋認証領域１５の位置を推定できる。
【００７５】
ここで、図５、図８、図１０に示す電子機器１は、ディスプレイ１２０が画像を表示しているときに発光部２１０の光を視認可能な領域２１２があってよい。また、電子機器１は、ディスプレイ１２０が非表示状態であるときに発光部２１０の光を視認可能な領域２１２があってもよい。
【００７６】
一実施形態において、電子機器１のコントローラ１００は、センサ部１３０の検出値に基づいて、自機の状態を判別し、判別する自機の状態に基づいて、発光部２１０を制御する。
【００７７】
コントローラ１００は、センサ部１３０の検出値に基づいて、自機の状態を判別してよい。センサ部１３０は、例えば、加速度センサ１３２を用いてよい。自機の状態は、例えば、ユーザにより電子機器１（言い換えると、自機）が持ち上げられた状態を含む。コントローラ１００は、例えば、加速度センサ１３２の検出値が所定の条件を満たすとき、自機が持ち上げられた状態であると判定する。自機が持ち上げられる際に電子機器１に生じる加速度を予め測定して、当該加速度を所定の条件として予め記憶部１０３に記憶しておけばよい。なおセンサ部１３０として、加速度センサ１３２以外のセンサを補助的、又は代替的に用いてもよい。自機の状態として、自機が持ち上げられた状態以外の状態を判定してよい。自機が持ち上げられた状態以外の状態は、例えば、ユーザの手に持たれて自機が所定の方向に振られた状態等を含む。
【００７８】
コントローラ１００は、判別した自機の状態に基づいて、発光部２１０を制御する。例えば、コントローラ１００は、判別した自機の状態が所定の状態であると、発光部２１０を光らせる、又は光らせない。
【００７９】
一実施形態において、電子機器１のコントローラ１００は、自機の状態として、自機が持ち上げられた状態を判別し、自機が持ち上げられた状態であると判別すると、発光部２１０を光らせる。
【００８０】
図１１は、電子機器１が発光部２１０を制御する際の電子機器１の動作の一例を示すフローチャートである。
【００８１】
ステップｓ１において、コントローラ１００は、電子機器１をロックモードに設定する。なお、ロックモードに設定するとき、コントローラ１００はディスプレイ１２０を非表示状態にしていてもよいし、ディスプレイ１２０にロック画面を表示していてもよい。
【００８２】
ステップｓ２において、コントローラ１００は、加速度センサ１３２の検出値に基づいて自機の状態を判別する。
【００８３】
ステップｓ３において、コントローラ１００は、自機が持ち上げられた状態であると判別すると、ステップｓ４に進む。コントローラ１００は、自機が持ち上げられた状態でないと判別すると、ステップｓ１に戻ってロックモードを維持する。
【００８４】
ステップｓ４において、コントローラ１００は発光部２１０を発光させる。
【００８５】
本実施形態において、電子機器１は自機が持ち上げられた状態であるときに発光部２１０が発光するため、ユーザは指紋認証を行う蓋然性が高いときに指紋認証領域１５の位置を特定しやすくなる。
【００８６】
一実施形態において、電子機器のコントローラは、センサ部１３０の検出値に基づいて、指による操作を検出すると、発光部２１０を光らせる。指による操作がタップ操作であってよい。
【００８７】
コントローラ１００は、センサ部１３０の検出値に基づいて、指による操作を検出してよい。センサ部１３０は、例えば、加速度センサ１３２及びタッチセンサ１３１の少なくとも一つを用いればよい。コントローラ１００は、指による操作を検出すると、発光部２１０を光らせる。
【００８８】
一実施形態において、指による操作がタップする操作である。
【００８９】
コントローラ１００は、例えば、加速度センサ１３２の検出値が所定の条件を満たすとき、ユーザが電子機器１を指でタップする操作を検出してよい。ユーザが電子機器１を指でタップする際に電子機器１に生じる加速度を予め測定して、当該加速度を所定の条件として予め記憶部１０３に記憶しておけばよい。コントローラ１００は、例えば、タッチセンサ１３１の検出値が所定の条件を満たすとき、ユーザが電子機器１を指でタップする操作を検出してよい。ユーザがディスプレイ１２０を指でタップする際にタッチセンサ１３１に生じる静電容量の変化を所定の条件として予め記憶部１０３に記憶しておけばよい。
【００９０】
図１２は、電子機器１が発光部２１０を光らせる際の電子機器１の動作の一例を示すフローチャートである。
【００９１】
ステップｓ５において、コントローラ１００は、電子機器１をロックモードに設定する。なお、ロックモードに設定するとき、コントローラ１００はディスプレイ１２０を非表示状態にしていてもよいし、ディスプレイ１２０にロック画面を表示していてもよい。
【００９２】
ステップｓ６において、コントローラ１００は、センサ部１３０の検出値に基づいて指による操作を検出する。
【００９３】
ステップｓ７において、コントローラ１００は、タッチセンサ１３１、又は加速度センサ１３２により指による操作を検出すると、ステップｓ８に進む。コントローラ１００は、指による操作を検出しないと、ステップｓ５に戻り、ロックモードを維持する。
【００９４】
ステップｓ８において、コントローラ１００は発光部２１０を発光させる。
【００９５】
本実施形態によると、ユーザは、例えば、指により電子機器１をタップすると、発光部２１０を光らせることができるため、ユーザは任意に指紋認証領域１５の位置を特定しやすくすることができる。
【００９６】
一実施形態において、電子機器１は、情報を受信する情報受信部を備え、コントローラは、情報を情報受信部が受信すると、発光部２１０を光らせる。
【００９７】
コントローラ１００は、情報受信部として無線通信部１１０を用いて情報を受信する。情報とは、アプリケーションの通知情報を含む。アプリケーションの通知情報は、例えば、メールアプリケーション、通話アプリケーション、及びＳＮＳ（Social Network Service）アプリケーションの通知情報である。
【００９８】
コントローラ１００は、情報を情報受信部が受信すると、発光部２１０を光らせる。
【００９９】
図１３は、電子機器１が発光部２１０を光らせる際の電子機器１の動作の一例を示すフローチャートである。
【０１００】
ステップｓ９において、コントローラ１００は、電子機器１をロックモードに設定する。なお、ロックモードに設定するとき、コントローラ１００はディスプレイ１２０を非表示状態にしていてもよいし、ディスプレイ１２０にロック画面を表示していてもよい。
【０１０１】
ステップｓ１０において、コントローラ１００は、情報受信部により、情報を受信したか否かを判定する。
【０１０２】
ステップｓ１１において、情報を情報受信部が受信すると、ステップｓ１２に進む。コントローラ１００は、情報を情報受信部が受信しないと、ステップｓ９に戻ってロックモードを維持する。
【０１０３】
ステップｓ１２において、コントローラ１００は、発光部２１０を発光させる。
【０１０４】
ステップｓ１１において、情報を情報受信部が受信しない場合、電子機器１は、発光部２１０を発光させることが無く、ホーム画面の表示を維持する。
【０１０５】
本実施形態によると、例えば、情報を情報受信部が受信するときに発光部２１０が光るため、ユーザは指紋認証を行う蓋然性が高いときに指紋認証領域１５の位置を特定しやすくなる。
【０１０６】
上記の例では、電子機器１は、スマートフォン等の携帯電話機であったが、他の種類の電子機器であってもよい。電子機器１は、例えば、タブレット端末又はパーソナルコンピュータ又はウェアラブル機器であってもよい。電子機器１として採用されるウェアラブル機器は、リストバンド型あるいは腕時計型等の腕に装着するタイプであってもよいし、ヘッドバンド型あるいはメガネ型等の頭に装着するタイプであってもよいし、服型等の体に装着するタイプであってもよい。
【０１０７】
以上のように、電子機器１は詳細に説明されたが、上記した説明は、全ての局面において例示であって、この開示がそれに限定されるものではない。また、上述した各種の例は、相互に矛盾しない限り組み合わせて適用可能である。そして、例示されていない無数の例が、この開示の範囲から外れることなく想定され得るものと解される。
【符号の説明】
【０１０８】
１  電子機器
２  筐体
１２  レシーバ穴
１３  スピーカ穴
１４  マイク穴
１５  指紋認証領域
１７  導光部
１００  コントローラ
１２０  ディスプレイ
１３０  センサ部
１３１  タッチセンサ
１３２  加速度センサ
１３０  センサ部
１４０  操作ボタン群
１４１  電源ボタン
１８０  第１カメラ
１９０  第２カメラ
２００  指紋センサ
２１０  発光部
２１１  発光部の光
２１２  発光部の光を視認可能な領域
【図１】
2019144724.tif 000003
【図２】
2019144724.tif 000004
【図３】
2019144724.tif 000005
【図４】
2019144724.tif 000006
【図５】
2019144724.tif 000007
【図６】
2019144724.tif 000008
【図７】
2019144724.tif 000009
【図８】
2019144724.tif 000010
【図９】
2019144724.tif 000011
【図１０】
2019144724.tif 000012
【図１１】
2019144724.tif 000013
【図１２】
2019144724.tif 000014
【図１３】
2019144724.tif 000015